(57)【要約】【課題】従来の着物の陳列は、着物全体を開いた状態にするだけや、反物・帯をかけるだけで着姿がわかりにくかった。本発明は着物を着た状態（着姿）に近い外観を見せ、着物及び帯選びをわかりやすくするハンガーを提供することにある。【解決手段】襟元から両肩部に挿入する着物支え棒と、伸縮自在なＪ字型もしくはＵ字型の袖支え棒を使い、着物の幅を人間の身幅に調節可能にして吊るし、ほぼ身幅の間隔で垂下した一対の紐におはしょり形成棒や帯支え棒を保持させて、これらの棒に着物や帯を掛けて着姿の外観に近い形に展示できるようにした。【選択図】図５
2011183008.tif 000002
【特許請求の範囲】
【請求項１】
着物を着姿に近い状態で陳列するためのハンガーであり、襟元から両肩部に挿入する着物支え棒と、前記着物支え棒と平行にほぼ同じ高さに設けた筒状の棒と、前記筒状の棒の両端に出入り自在に挿入した一対のＪ字型もしくはＵ字型の袖支え棒からなることを特徴とする着物陳列用ハンガー。
【請求項２】
前記筒状の棒のほぼ身幅に等しい位置から一対の二重テープ状の紐を垂下し、前記二重テープ状の紐にはしご状の縫い目を設けることにより形成された縫い目と縫い目の間の筒状空間に、おはしょり形成棒、及び／又は、帯支え棒を任意の高さ位置に挿入し、前記おはしょり形成棒に着物を掛け、及び／又は、帯支え棒に帯を掛けることにより、実際に着物を着た状態に近似した状態で着物、又は着物と帯を吊るすことが可能な請求項１に記載した着物陳列用ハンガー。
【請求項３】
前記おはしょり形成棒又は帯支え棒が、中央の筒状の部品の両端にＪ字型もしくはＵ字型の出入り自在のフックを備えていることを特徴とする請求項２に記載した着物陳列用ハンガー。
【請求項４】
前記帯支え棒の両端近傍にそれぞれ、帯支え棒の長手方向に対してほぼ直角にＬ字型の帯巻きフックを備えていることを特徴とする請求項２に記載した着物陳列用ハンガー。
【発明の詳細な説明】
【技術分野】
【０００１】
本発明は、着物と帯の陳列・展示に使用するハンガーに関するものである。
【背景技術】
【０００２】
着物や帯を陳列するハンガーは、着物を広げた状態やたたんだ状態で陳列するものや、反物・帯をかけるだけのものしかなく、着ている状態（着姿）に近い形で陳列するものはない。
【０００３】
例えば特許文献１には、着物をたたんだ状態と広げた状態で掛けられるハンガーが提案されている。
特許文献２には、コンパクトに折りたたみできる着物用ハンガーが、特許文献３には着物を場所をとらずに吊るせるハンガーが提案されている。
【先行技術文献】
【特許文献】
【０００４】
【特許文献１】実開平１−１１７２６８
【特許文献２】実開昭５９−１０７４７
【特許文献３】実用新案登録第３０７４５４２号
【発明の概要】
【発明が解決しようとする課題】
【０００５】
しかしながら、上記特許文献１〜３は、着物をたたんだ状態かあるいは開いた状態でかけるようにしただけで、着姿をイメージさせる機能を持たない。これら従来の着物ハンガーでは、着物全体を開いた状態にするだけや、反物・帯をかけるだけであるため、着た状態（着姿）をわかりやすく陳列できていない。着物を着る機会が減った昨今、着た状態（着姿）をわかりやすく陳列しなければ、着物を理解することは難しい。
本発明は、上記のような課題に鑑み、その課題を解決すべく創案されたものであって、その目的とするところは、着た状態（着姿）と同じ外観を見せ、着物及び帯選びをわかりやすくするハンガーを提供することにある。
【課題を解決するための手段】
【０００６】
本発明は、着物の襟元から両肩部に挿入する着物支え棒と、前記着物支え棒と平行にほぼ同じ高さに設けた筒状の棒と、前記筒状の棒の両端に出入り自在に挿入した一対のＪ字型もしくはＵ字型の袖支え棒からなることを特徴とする着物陳列用ハンガーである。
【０００７】
前記筒状の棒のほぼ身幅に等しい位置から一対の二重テープ状の紐を垂下し、前記二重テープ状の紐にはしご状に縫い目を設けることにより形成された縫い目と縫い目の間の筒状空間に、おはしょり形成棒を２本、帯支え棒１本を任意の高さ位置に挿入し、前記おはしょり形成棒間に着物を側面から見てＳ字状になるように掛け、帯支え棒に帯を掛けることにより、実際に着物を着た状態に近似した状態で着物と帯を吊るすことができるようにした。
【０００８】
さらに、おはしょり形成棒又は帯支え棒が、中央の筒状の棒の両端にＪ字型もしくはＵ字型の出入り自在のフックを備えている構造にすることにより、前記二重テープ状の紐が正面から見えにくくすることができる。
【０００９】
また、男性用の帯も装着できるように、帯支え棒の両端近傍にそれぞれ、帯支え棒の長手方向に対してほぼ直角にＬ字型の帯巻きフックを設けた。
【発明の効果】
【００１０】
着物を陳列する際、、襟元から両肩部に挿入する着物支え棒の長さを身幅よりやや短く設定し、袖の両端から挿入して支えるＪ字型もしくはＵ字型の棒を伸縮自在にすることにより、着物の幅を人間の身幅に調節する効果がある。
【００１１】
さらに、前記Ｊ字型もしくはＵ字型の棒が挿入されている筒状の棒から吊るした一対の二重テープ状の紐の、腰上部と腰下部に相当する部分に、おはしょり形成棒を挿入し、おはしょり形成棒間に着物を側面から見てＳ字状になるように掛けることにより、女性の着姿の外観に生じる「おはしょり」があるかのように見せると同時に、着丈を調整する効果がある。
【００１２】
また、前記二重テープ状の紐の適当な高さに帯支え棒を挿入し、帯を模様位置を合わせて掛けることにより、帯も着姿と同様に見せる効果がある。
【００１３】
その上、分解が簡単な構造をしているため、着物や帯の取り外しが簡単であり、ハンガーをコンパクトにまとめることもできる効果もある。
【図面の簡単な説明】
【００１４】
【図１】本発明によるハンガーの正面図である。
【図２】本発明によるハンガーの左側面図である。
【図３】袖支え棒１と筒状の棒２の外観図である。
【図４】紐４の外観図と部分拡大側面図である。
【図５】着物を展示した状態の正面図である。
【図６】着物を展示した状態の左側面図である。
【図７】着物を展示した状態の平面図である（図５のＡ−Ａ断面図）
【図８】Ｊ字型もしくはＵ字型の出入り自在のフックを備えたおはしょり形成棒又は帯支え棒
【図９】Ｌ字型の帯巻きフックを備えた帯支え棒
【発明を実施するための形態】
【００１５】
本発明のハンガーは、筒状の棒２の左右両側の空洞部分に移動可能なＪ字型もしくはＵ字型の袖支え棒１が挿入され、袖部分を両側から支えている。
同時に着物支え棒３が襟元から両肩部に挿入され、着物の身頃を支えている。
筒状の棒２の身幅に相当する２箇所に二重テープ状の紐４の上端の輪の部分が通され垂下されている。紐４は２枚のテープ状の紐を重ね合わせ、紐の長手方向に対して垂直な方向で、一定間隔（４b）で縫ってあり、棒を通せる形状になっている。
紐４の適当な高さ位置に、帯支え棒５aと「おはしょり」を形作る棒５b・棒５cが通されている。棒５a・棒５b・棒５cは、紐４のどの個所にも通すことが可能である。
筒状の棒２の中央部には吊り紐６が装着され、着物支え棒３の中央部には吊り紐７が装着されて、紐６と紐７はフック８につなげられている。フック８でハンガー全体及びハンガーに掛けられた着物を持ち上げている。
【００１６】
筒状の棒２は、左右両方に伸縮自在な、Ｊ字型もしくはＵ字型の袖支え棒１を有している。袖支え棒１の形は、Ｊ字型やＵ字型等のいずれでもよく、１aの長さについては袖を支えるのに十分な長さであれば特に規定しない。また、筒状の棒２には、２本の幅広の紐４が通されて下方に垂れ下がっている。
【００１７】
筒状の棒２は、袖支え棒１の可動範囲を大きくするため筒状が望ましいが、袖支え棒を伸縮自在に支えられれば完全な筒状でなくても良い（例えば左右端部のみ筒状であったり断面がＣ型の棒など）。
【００１８】
袖支え棒１の１a側の先端は丸みを帯び、着物を傷つけないように形成されている。
【００１９】
筒状の棒２に通して垂下された紐４は、幅広のリボン状のテープを２枚合わせ、一定間隔４ｂで縫われ、はしご状の縫い目４ａを有している。テープの幅は２０mm程度が考えられるが、着姿の外観に影響を及ぼさず重量に耐えられれば、その幅は問わない。また、縫い目４ａの間隔４ｂは、筒状の棒２及び棒５a・棒５b・棒５cのいずれも通る間隔である。
【００２０】
帯支え棒５ａ、「おはしょり」を形作る棒５b・棒５ｃの先端は丸みを帯び、帯や着物を傷つけないように形成されている。「おはしょり」を必要としない場合は、棒５b・棒５cは無くても良い。
【００２１】
着物の身頃を支える着物支え棒３の先端は丸みを帯び、着物を傷つけないように形成されている。
【００２２】
筒状の棒２及びこれに取り付けられている１・４・５を支える紐６と、着物支え棒３を支えている紐７はフック８によって一つにまとめられたハンガーとなっている。
【００２３】
次に、上記発明を実施するための形態に基づくハンガーの使用方法について以下説明する。
着物を陳列する場合、図５、図７に示したように、筒状の棒２の中央側左右に２本の紐４を通して取り付ける。着物支え棒３に着物をかけ、袖支え棒の１a部分を外側から着物の袖に左右とも通し、着物支え棒３にかけた着物の前身頃の幅を着姿と同じ程度の幅に調整し、余った幅は裏側に折り込んでおく。
【００２４】
次に図６に示したように、着物の腰部分を、上方向・裏側に折り込み、おはしょり部分の長さに適した位置で棒５bを挟むようにして下方向へ折り返す。側面から見るとS字を書く流れに着物が折られている形になり、おはしょり部分が作られる。棒５bの両端を紐４に通し、おはしょり部分の上を固定する。おはしょりとなる部分の下に棒５cを通し、おはしょり部分の下を固定する。こうして着物のみの着姿の陳列ができる。おはしょりを必要としない着物を陳列する場合は、棒５bと棒５cは使用しなくても構わない。
【００２５】
帯を陳列する場合、図５、図６に示したように、５aにたたんだ帯を通し、着物の前身頃表側に置く。その際、着姿に近い位置に帯位置を決める。５aの両端を紐４に通す。こうして着姿に近い帯の陳列ができる。
【００２６】
前記帯支え棒５ａ、おはしょり形成棒５ｂ、５ｃは、単純な棒形が安価で使いやすい利点があるが、棒の両端部を二重テープ状の紐４で支えるので紐４が正面から見えてしまう欠点がある。
これを改良する方法として、図８に示したように、棒５ａ、５ｂ、５ｃの中央側を筒状の部品９ａにし、両端からＪ字型もしくはＵ字型のフック９ｂを挿入し、フック９ｂを伸縮自在にする方法がある。これにより紐４の間隔を着幅より狭くすることができるので、紐４が正面から見えなくすることができる。
尚、図８とは逆に、筒状の部品９ａに着物や帯を掛け、フック９ｂの先端部分を紐４に挿入しても良い。
【００２７】
男性用の帯など、幅の狭い帯を展示する際には、図９に示したように、帯支え棒５ａの両端近傍に、Ｌ字型の帯巻きフック１０を棒５ａの長手方向に対して直角に取り付け、一対のフック１０の周りに帯を巻くことによって着姿に近い状態の外観を有した陳列ができる。
【００２８】
着物と帯を外すときは、棒５aと棒５b・棒５cを紐４から抜けば、着物と帯を傷つけずに簡単に外すことができる。
【００２９】
ハンガーを運搬する際は、棒５aと棒５b・棒５cを紐４から抜けば、ハンガーが分解され、小さくまとめることができる。
【符号の説明】
【００３０】
１    Ｊ字型もしくはＵ字型の袖支え棒
１ａ  Ｊ字型もしくはＵ字型の袖支え棒の先端部
２    Ｊ字型もしくはＵ字型の袖支え棒を挿入する筒状の棒
３    着物支え棒
４    二重のテープ状紐
４ａ  はしご状の縫い目
４ｂ  はしご状の縫い目の間隔
５ａ  帯支え棒
５ｂ、５ｃ  おはしょり形成棒
６    筒状の棒の吊り紐
７    着物支え棒の吊り紐
８    ハンガー吊りフック
９ａ  筒状の部品
９ｂ  Ｊ字型もしくはＵ字型の出入り自在のフック
１０  Ｌ字型の帯巻きフック
【図１】
2011183008.tif 000003
【図２】
2011183008.tif 000004
【図３】
2011183008.tif 000005
【図４】
2011183008.tif 000006
【図５】
2011183008.tif 000007
【図６】
2011183008.tif 000008
【図７】
2011183008.tif 000009
【図８】
2011183008.tif 000010
【図９】
2011183008.tif 000011
【手続補正書】
【提出日】平成22年7月30日(2010.7.30)
【手続補正１】
【補正対象書類名】特許請求の範囲
【補正対象項目名】請求項１
【補正方法】変更
【補正の内容】
【請求項１】
着物を着姿に近い状態で陳列するためのハンガーであり、襟元から両肩部に挿入する着物支え棒と、前記着物支え棒と平行にほぼ同じ高さに設けた筒状の棒と、前記筒状の棒の両端に出入り自在に挿入した一対のＪ字型もしくはＵ字型の袖支え棒からなり、前記着物支え棒で着物の身幅に相当する中央部を吊り、前記袖支え棒を着物の両袖の外側からそれぞれ挿入して袖を吊り、前記着物支え棒と前記袖支え棒の間にできた隙間の後方に、着物の幅の余剰部分を折り込むことができる着物陳列用ハンガー。